(57)【要約】      （修正有）【課題】正確なスイング姿勢と動作の練習を可能とするゴルフスイングと、パッティング練習装置を提供する。【解決手段】ゴルフスイング、パッティング練習装置は、支持素子１とグリップ素子２とを含む。支持素子はシート体１１または棒体であって、使用者の体に当接される支持面１２を有している。グリップ素子は棒体であり、手で握るグリップ部２２を有し、棒体の一端を支持素子の中間部に結合する。使用者は支持素子の支持面を腹部に当てて、腰の力でバックスイングとスイングを回して、正確な動作を習得できる。さらに、両手でグリップ部を握ることによって、両手の前腕を支持素子両端の支持部１４に当てて、パッティング動作の訓練を行うこともできる。【選択図】図１
0003195978.tif 000002
【実用新案登録請求の範囲】
【請求項１】
支持素子と、グリップ素子を含むゴルフスイング、パッティング練習装置であって、
前記支持素子はシート体または棒体であって、使用者の体に当接される支持面を有しており、前記グリップ素子は棒体であり、前記棒体は手で握るグリップ部を有し、前記棒体の一端を前記支持素子の中間部に結合することを特徴とする、ゴルフスイング、パッティング練習装置。
【請求項２】
前記支持素子の両端にそれぞれ腕を支える支持部を有することを特徴とする、請求項１記載のゴルフスイング、パッティング練習装置。
【請求項３】
前記支持部が前記支持素子の端部に備える凹弧部に形成することを特徴とする、請求項１または請求項２記載のゴルフスイング、パッティング練習装置。
【請求項４】
前記支持素子の中間部に第１結合部を設け、前記グリップ素子の一端に第２結合部を設け、前記第１結合部を前記第２結合部に結合することを特徴とする、請求項１から請求項３のいずれかに記載のゴルフスイング、パッティング練習装置。
【請求項５】
前記第１結合部は前記支持素子に設けるとおり穴と、前記とおり穴を貫く固定素子を含む、前記第２結合部が前記固定素子の取付穴に対応されていることを特徴とする、請求項４記載のゴルフスイング、パッティング練習装置。
【請求項６】
前記固定素子はねじであり、前記取付穴はねじ孔であることを特徴とする、請求項５記載のゴルフスイング、パッティング練習装置。
【請求項７】
前記グリップ部に滑り止め構造を設けることを特徴とする、請求項１から請求項６のいずれかに記載のゴルフスイング、パッティング練習装置。
【請求項８】
前記滑り止め構造は、前記棒体の表面に設ける滑り止めしまであることを特徴とする、請求項７記載のゴルフスイング、パッティング練習装置。
【請求項９】
前記グリップ素子は第１棒体と、第２棒体と、前記第１棒体と前記第２棒体を連結する屈折部を含むことを特徴とする、請求項１から請求項８のいずれかに記載のゴルフスイング、パッティング練習装置。
【請求項１０】
前記屈折部は、前記第１棒体に設ける枢転溝と、前記第２棒体に設ける枢接突起部と、前記枢転溝と前記枢接突起部を穿設する枢接素子を含むことを特徴とする、請求項９記載のゴルフスイング、パッティング練習装置。
【考案の詳細な説明】
【技術分野】
【０００１】
本考案はゴルフスイングと、パッティング練習装置に関し、特にゴルフスイングときに、腰の力をもってバックスイングとスイングの標準動作をこなせるほかに、パッティングを練習できるゴルフスイングと、パッティング練習装置に関する。
【背景技術】
【０００２】
ゴルフは多種類のクラブを用いて小さな白いボールをホールに打ち込む、一種の特別な球類スポーツである。ボールの打つ姿勢と動作は体を回転するときの安定性が要求され、背骨を回転軸として体を回し、両手に握っていたクラブをスイングさせると同時に両手をクラブに握って置く、バックスイングときには、両手の肘を開いてはならない。もし、両手の肘を開くとクラブが不安定になり、クラブとクラブ表面の角度に影響を与える。よって、ゴルフスイング動作の協調性と一致性を常に練習しなければならない。さらに、パッティングの動作は固定的な安定した慣性動作であり、常に練習を重ねクラブとヒット面、点の安定性を維持必要がある。
【０００３】
そのため、多種のゴルフスイング練習装置及びこれらの応用と設計が考案されている。そのうち、大型ゴルフスイング練習装置は例えば、米国特許公告ＵＳ２７３７４３２号（特許文献１）、ＵＳ３４１５５２３号（特許文献２）、ＵＳ３４２９５７１号（特許文献３）、ＵＳ３４８９４１６号（特許文献４）などがある。しかし、この種の大型練習装置が場所、スペースと経費の制限を受けるために、一般家庭に取り付けることは難しく、場所、時間を選ばずに練習することもできない。さらに、比較的中小形の練習装置には、米国特許公告ＵＳ３６１４１０８号（特許文献５）、ＵＳ３９２６４３０号（特許文献６）、ＵＳ５１２５８８２号（特許文献７）、ＵＳ７５８５２２８号（特許文献８）、ＵＳ６８５５０６５号（特許文献９）などがある。しかし、これらの設計は一定場所でなければ練習することができない。
【０００４】
そのほか、使用者が時間、場所を選ばずに練習可能な小型なゴルフスイング練習装置と、拘束バンドを用いて両腕を固定する形には米国特許公告ＵＳ４８９６８８７号（特許文献１０）、ＵＳ５９０２１８９号（特許文献１１）などで開示されている。さらに、両腕の間に支持装置、固定装置または球体を設ける方式は、米国特許公告ＵＳ６１７６７９０号（特許文献１２）、ＵＳ７７５８４３７号（特許文献１３）、ＵＳ５１４５１７９号（特許文献１４）、ＵＳ５２０３５６７号（特許文献１５）、ＵＳ５７１１７１６号（特許文献１６）、ＵＳ５９０４６２４号（特許文献１７）、ＵＳ７０３３２８２号（特許文献１８）、ＵＳ７０３３２８４号（特許文献１９）、ＵＳ８１７７６５５号（特許文献２０）、ＵＳ８４６０１２１号（特許文献２１）などがある。しかし、これらの練習装置は両腕の距離を校正するものであって、ゴルフスイング動作において、もっとも重要な腰の回転である、使用者の腰の回転を訓練することによって、両腕とクラブのスイング動作を駆動することができない。
【先行技術文献】
【特許文献】
【０００５】
【特許文献１】米国特許公告ＵＳ２７３７４３２号
【特許文献２】米国特許公告ＵＳ３４１５５２３号
【特許文献３】米国特許公告ＵＳ３４２９５７１号
【特許文献４】米国特許公告ＵＳ３４８９４１６号
【特許文献５】米国特許公告ＵＳ３６１４１０８号
【特許文献６】米国特許公告ＵＳ３９２６４３０号
【特許文献７】米国特許公告ＵＳ５１２５８８２号
【特許文献８】米国特許公告ＵＳ７５８５２２８号
【特許文献９】米国特許公告ＵＳ６８５５０６５号
【特許文献１０】米国特許公告ＵＳ４８９６８８７号
【特許文献１１】米国特許公告ＵＳ５９０２１８９号
【特許文献１２】米国特許公告ＵＳ６１７６７９０号
【特許文献１３】米国特許公告ＵＳ７７５８４３７号
【特許文献１４】米国特許公告ＵＳ５１４５１７９号
【特許文献１５】米国特許公告ＵＳ５２０３５６７号
【特許文献１６】米国特許公告ＵＳ５７１１７１６号
【特許文献１７】米国特許公告ＵＳ５９０４６２４号
【特許文献１８】米国特許公告ＵＳ７０３３２８４号
【特許文献１９】米国特許公告ＵＳ７０３３２８４号
【特許文献２０】米国特許公告ＵＳ８１７７６５５号
【特許文献２１】米国特許公告ＵＳ８４６０１２１号
【考案の概要】
【考案が解決しようとする課題】
【０００６】
本考案の主な目的は、支持素子と、グリップ素子の設計によって、前述したゴルフ練習装置の問題点を克服し、使用者がグリップ素子を握ってスイングを練習すると同時に、支持素子によって腹部と腕を支えて置き、両腕と体両側との正確な密着を練習する。バックスイングとスイングのときには腰を回す動作によって、正確なスイング姿勢と動作の練習を図るゴルフスイング、パッティング練習装置を提供する。
【０００７】
本考案の次の目的は、使用者が両手でグリップ素子を握り、両手の前腕を支持素子両端の支持部に当ててパッティング動作を練習することによって正確なパッティング動作を習得する、ゴルフスイング、パッティング練習装置を提供する。
【課題を解決するための手段】
【０００８】
前述目的を達成するため、本考案のゴルフスイング、パッティング練習装置の好ましい技術手段は、支持素子と、グリップ素子を含む。支持素子はシート体または棒体であって、使用者の体に当てる支持面を有する。グリップ素子は棒体であり、棒体は手で握るグリップ部を有し、棒体の一端を支持素子の中間部に結合されている。そのうち、支持素子の両端は例えば、それぞれ腕を支える支持部を設けても良い。支持部を支持素子の端部の陥凹部に形成されている。
【０００９】
本考案のゴルフスイング、パッティング練習装置は、使用者が支持素子の支持面を腹部に当てて腰の力をもってバックスイングとスイングを練習し、使用者に腰部を回す動作を慣らして、バックスイングとスイングの動作訓練を行う。さらに、使用者の両手がグリップ素子のグリップ部に握ることによって、両手の前腕を支持素子両端の支持部に当てて、パッティング動作の訓練を行うことができる。本考案のスイング、パッティング練習装置のコンパクト構造によって、コストを軽減することができると共に、支持素子とグリップ素子を分解または折り畳み、収納と携行に便利を提供できる。
【図面の簡単な説明】
【００１０】
【図１】本考案のスイング、パッティング練習装置の好ましい実施例による立体を示す図である。
【図２】本考案のスイング、パッティング練習装置の好ましい実施例による分解を示すである。
【図３】本考案のスイング、パッティング練習装置の好ましい実施例による前面図である。
【図４】本考案のスイング、パッティング練習装置の好ましい実施例による上面図である。
【図５】本考案の屈折可能なグリップ素子の好ましい実施例における分解を示す図である。
【図６】本考案の屈折可能なグリップ素子の好ましい実施例における立体を示す図である。
【図７】本考案の屈折可能なグリップ素子の好ましい実施例における折り畳みを示す図である。
【図８】本考案のスイング、パッティング練習装置の好ましい実施例によるスイング訓練を示す図（その１）である。
【図９】本考案のスイング、パッティング練習装置の好ましい実施例によるスイング訓練を示す図（その２）である。
【図１０】本考案のスイング、パッティング練習装置の好ましい実施例によるパッティング訓練を示す図（その１）である。
【図１１】本考案のスイング、パッティング練習装置の好ましい実施例によるパッティング訓練を示す図（その２）である。
【考案を実施するための形態】
【００１１】
以下、添付図面を参照して本考案の実施の形態を詳細に説明する。
【実施例】
【００１２】
図１および図２に示すように、本考案のゴルフスイング、パッティング練習装置によれば、練習ゴルフバックスイング、スイング、パッティング動作に利用することができる。特に使用者がバックスイング及びスイングのときの腰を回す動作と、腕の動作を訓練する補助的な器材として適用できる。そのうち、好ましい実施例は支持素子１と、係る支持素子１に結合されるグリップ素子２を含む。そのうち、
【００１３】
本考案において、支持素子１はプラスチックまたは金属からなるシート体１１を実施しているが、等効果の棒体またはその他形状を実施しても良い。シート体１１を弧形シート体または弧形棒体に実施することが好ましい。支持素子１は使用者の腹部に当てる支持面１２と、支持面１２に対向する結合面１３を有する。支持面１２を腹部に支えるために、凹弧面を実施することが好ましい。さらに、支持素子１の両端がそれぞれ腕を支える支持部１４を設けられ、支持部１４を支持素子１の端部の陥凹部１４１に形成することが良く、弧形の曲線は使用者前腕の断面曲線に対応することが好ましい。
【００１４】
グリップ素子２の断面が円形またはその他形状の棒体２１を形成することが好ましい。棒体２１は両手で握るグリップ部２２を有しており、棒体２１の一端（図において上端）を支持素子１の結合面１３の中間部に結合させる。さらに、手がグリップ素子２を握って練習するときの滑りを防ぐため、前述グリップ部２２に滑り止め構造２３を形成され、滑り止め構造２３は棒体２１の表面に滑り止めしま２３１または滑り止めブッシングを設ける。
【００１５】
図２と、図３と、図４に示すように、本考案の支持素子１の中間部に第１結合部１５を設けられ、グリップ素子２の一端（図において上端）に第２結合部２４を設けられている。これにより、支持素子１の第１結合部１５を介して、グリップ素子２の第２結合部２４に結合される。そのうち、支持素子１の第１結合部１５は、支持素子１の中間に支持面１２と結合面１３に連絡させるとおり穴１５１と、とおり穴１５１を貫く固定素子１５２を設けることが好ましい。固定素子１５２は一般ねじまたはクイックスクリューを実施し、クイックスクリューはねじ本体１５２１と、ねじ本体１５２１の回転つまみ体１５２２に取り付ける可動栓を含む、回転つまみ体１５２２が任意に折り返すことができる。よって、ねじ本体１５２１を締めつけ完了後には、回転つまみ体１５２２をとおり穴１５１に折り返しておき、固定素子１５２が支持面１２から突き出すことを防げる。グリップ素子２の第２結合部２４は例えば、棒体２１の端面のねじ孔など固定素子１５２に対応する取付穴２４１である。これにより、使用するときはグリップ素子２の一端を支持素子１の中間部に結合しておき、使用しないときには、素早く分解して体積を縮小させ、携行に便利する。
【００１６】
図５と図６に示すように、本考案のグリップ素子２はさらに、折り畳み構造を実施することによって、前述固定素子１５２を取り外すことなく、グリップ素子２を折り畳むことができる。好ましい実施例として、棒体２１に第１棒体２１１と、第２棒体２１２と、第１棒体２１１と第２棒体２１２に接続する屈折部２５を含む。屈折部２５は、第１棒体２１１の端部の枢転溝２５１と、第２棒体２１２の端部に位置する枢接突起部２５２と、枢転溝２５１と枢接突起部２５２を横切って貫く、枢接素子２５３を設けることが好ましい。枢転溝２５１は第１棒体２１１の端面にへこむ凹み溝であり、かつ、係る枢転溝２５１を垂直して貫通する枢支穴２５４を設けることが好ましい。枢接突起部２５２は枢転溝２５１に対応して突起ブロックを設け、突起ブロックに枢支穴２５４を対応する枢支穴２５５を設ける。枢接素子２５３は例えば、ピン、一般のねじまたはクイックスクリューなどの素子設けることができる。これにより、枢接突起部２５２を可動に枢転溝２５１に取り付けた上、枢接素子２５３を枢支穴２５４、２５５に穿設することによって、屈折可能なグリップ素子２（図７に示す）に組み合わせられる。
【００１７】
本考案を適用すれば、使用者がスイング練習とき図８と図９に示すように、使用者の両手をグリップ素子２のグリップ部２２に握って支持素子１の支持面１２を使用者の腹部に当てることによって、支持素子１の支持面１２を引き続き腹部に当てて体をまわせば、両腕が開いたままに腰で体をまわすことを避けられ、バックスイングとスイングの正確な習慣が養成される。本考案のゴルフスイング、パッティング練習装置を適用すれば、使用者がいつでもどこでも練習することを提供できるため、繰り返して腰と両腕がバックスイングとスイングときの習慣を訓練することによって、ボールを打つときに最適な姿勢と動作を提供できる。
【００１８】
本考案をパッティング練習で使用するときは、図１０と図１１に示すように、使用者の両手をグリップ素子２のグリップ部２２に握り、前腕を支持素子１両端の支持部１４に備える陥凹部１４１に挟んでおき、これにより、パッティングとき両腕の正確姿勢と安定性を練習し、繰り返して練習することによって、パッティングときに最適な姿勢と動作を実現できる。本考案はさらに支持素子１とグリップ素子２を分解して携行に便利を提供できる。
【００１９】
以上に説明したとおり、本考案のゴルフスイング、パッティング練習装置は確実に実用性と創作性を有するほか、技術手段の運用も間違いなく新規性を有しており、かつ効果と設計目的が一致していることから、合理性と進歩性に達していることが極めて明らかである。
【符号の説明】
【００２０】
１        支持素子
１１      シート体
１２      支持面
１３      結合面
１４      支持部
１４１    陥凹部
１５      第１結合部
１５１    とおり孔
１５２    固定素子
１５２１  ねじ本体
１５２２  回転つまみ体
２        グリップ素子
２１      棒体
２１１    第１棒体
２１２    第２棒体
２２      グリップ部
２３      滑り止め構造
２３１    滑り止めしま
２４      第２結合部
２４１    取付穴
２５      屈折部
２５１    枢転溝
２５２    枢接突起部
２５３    枢接素子
２５４、２５５  枢支穴
【図１】
0003195978.tif 000003
【図２】
0003195978.tif 000004
【図３】
0003195978.tif 000005
【図４】
0003195978.tif 000006
【図５】
0003195978.tif 000007
【図６】
0003195978.tif 000008
【図７】
0003195978.tif 000009
【図８】
0003195978.tif 000010
【図９】
0003195978.tif 000011
【図１０】
0003195978.tif 000012
【図１１】
0003195978.tif 000013